(57)【要約】  本発明は、ａ）デジタル画像のコレクション１０２から、少なくとも１つの所謂リマインダデジタル画像１０８を自動的且つランダムに選択１００し、ｂ）ランダムに選択されたリマインダ画像との類似度計算に基づいて、前記画像のコレクションの中から、少なくとも１つの所謂リンクデジタル画像群のサブセット１３０、１３０ａを自動的に選択し、ｃ）表示画面上にリマインダ画像を一時的に表示１０４し、リマインダ画像が表示されている間、第１のユーザインタフェースをインタラクション検出モードに設定１０６し、ｄ）リマインダ画像が表示されている間の第１のユーザインタフェースを用いたユーザインタラクションに応答して、ステップｂ）にて決定されたリンク画像群のサブセットの少なくとも一部を同時に表示し、第２のユーザインタフェースを、表示されたリンク画像群のサブセットの中からユーザが少なくとも１つの画像を選択することが可能な選択モードに設定し、ｅ）第２のユーザインタフェース上でのユーザ選択１５０に応答して、選択された少なくとも１つのリンク画像のデータを、画像処理に利用可能１７０にし、ｆ）新たなランダム選択でステップａ）を反復するステップ群を有する画像選択方法に関する。
2011522306.tif 000002
【特許請求の範囲】
【請求項１】
ａ）デジタル画像のコレクションの中から、少なくとも１つのリマインダデジタル画像を自動的且つランダムに選択するステップと、
ｂ）前記ランダムに選択されたリマインダ画像との類似度計算に基づいて、前記画像のコレクションの中から、少なくとも１つのリンクデジタル画像群のサブセットを自動的に選択するステップと、
ｃ）表示画面上に前記リマインダ画像を一時的に表示し、前記リマインダ画像が表示されている間、第１のユーザインタフェースをインタラクション検出モードに設定するステップと、
ｄ）前記リマインダ画像が表示されている間の前記第１のユーザインタフェースを用いたユーザインタラクションに応答して、ステップｂ）にて決定された前記リンク画像群のサブセットの少なくとも一部を同時に表示し、第２のユーザインタフェースを、表示されたリンク画像群のサブセットの中からユーザが少なくとも１つの画像を選択することが可能な選択モードに設定するステップと、
ｅ）前記第２のユーザインタフェース上でのユーザ選択に応答して、選択された少なくとも１つのリンク画像の画像データを、画像処理に利用可能にするステップと、
ｆ）新たなランダム選択でステップａ）を反復するステップと、
を有する画像選択方法。
【請求項２】
前記第１及び第２のユーザインタフェースは、ステップｃ）及びｄ）にて画像が表示されるデジタルフォトフレームのタッチスクリーンである、請求項１に記載の方法。
【請求項３】
複数のリマインダ画像がランダムに選択され、ステップｃ）にて同時に表示される、請求項１に記載の方法。
【請求項４】
前記画像のコレクションは複数の画像カテゴリーを有し、前記リマインダ画像は異なる画像カテゴリーの中でランダムに選択される、請求項１に記載の方法。
【請求項５】
ステップｅ）は、前記画像データに対応する画像を印刷するステップ、前記画像データに対応する画像を表示するステップ、並びに前記画像データを、表示画面、プリンタ、パーソナルコンピュータ、画像ブラウザ、及び／又はマルチメディア装置の中から選択された少なくとも１つの画像処理装置に送信するステップ、のうちの少なくとも１つを有する、請求項１に記載の方法。
【請求項６】
ステップｂ）は、前記第１のユーザインタフェースを用いたユーザインタラクションに応答して、ステップｃ）の後に実行される、請求項１に記載の方法。
【請求項７】
ステップｂ）の前記類似度計算は、
−  前記ランダムに選択されたリマインダ画像に関して少なくとも１つの種類の画像特徴を決定し、前記画像のコレクションのうちのその他の被検画像群に関して同一種類の画像特徴を決定するステップと、
−  前記被検画像群の前記画像特徴を前記リマインダ画像の前記画像特徴と比較するステップと、
−  前記被検画像群の中から、リマインダ画像に近い画像特徴を有する少なくとも１つの画像サブセットを選択するステップと、
を有する、請求項１に記載の方法。
【請求項８】
前記画像特徴は、画像のキャプチャ時間／日付、画像の意味内容、画像に付随する所定のメタデータのうちの少なくとも１つである、請求項７に記載の方法。
【請求項９】
前記類似度計算は、前記画像のコレクション内の画像群を順序付けること、及び順序付けられた画像群内で或る範囲を選択することを有する、請求項１に記載の方法。
【請求項１０】
ステップｄ）は、前記第１のユーザインタフェースを用いた如何なるユーザインタラクションによってもトリガーされる、請求項１に記載の方法。
【請求項１１】
ステップｆ）は、ユーザのリセット入力に応答して、あるいは、所定の期間が経過しても前記第１又は第２のユーザインタフェースの何れかでユーザ入力が検出されない場合、の何れかで実行される、請求項１に記載の方法。
【請求項１２】
前記選択されたリンク画像の前記画像データが送信されるべき画像処理装置をユーザが選択することを可能にする選択ステップ、を更に有する請求項１に記載の方法。
【請求項１３】
ユーザ要求に応じて、少なくとも１つの更なる、自動的に選択されたリンク画像群のサブセットを用いて、ステップｂ）及びｄ）を繰り返すこと、を更に有する請求項１に記載の方法。
【請求項１４】
ユーザインタフェースと、リマインダ画像及び選択された画像サブセットを表示する表示画面と、請求項１乃至１３の何れか一項に記載の方法を実行するためのソフトウェア命令を実行する処理ユニットと、を有するデジタルフォトフレーム。
【請求項１５】
前記ユーザインタフェースはタッチスクリーンである、請求項１４に記載のデジタルフォトフレーム。
【発明の詳細な説明】
【技術分野】
【０００１】
本発明は、画像収集物（コレクション）の画像群へのアクセス提案を提供する画像取り扱い方法に関する。特に、この方法は、ユーザが知らない、あるいはユーザが忘れてしまっている画像へのアクセスポイントを提供することを狙いとする。この方法はまた、容易な表示、プリント及び画像取引の機会を提供することを狙いとする。この方法は、例えばプリンタ、パーソナルコンピュータ、携帯電話又はテレビジョンなど、表示スクリーンを有する様々な種類のマルチメディア装置に適用され得る。しかしながら、この方法は特に、デジタルフォトフレームとともに使用するように設計される。
【０００２】
デジタルフォトフレーム又はデジタルフォトアルバムは、固定式あるいは可搬式の視覚装置である。それは、通常、かなり大きい表示スクリーンを有するとともに、外部、内部あるいは遠隔のメモリに結合される。メモリは、デジタル画像データ及び場合によりその他のデジタルマルチメディアコンテンツのコレクションを格納するために使用される。デジタルフォトフレームは、静止画像又は静止画像シーケンスを表示するように特別に設計される。幾つかの既存の手持ち式マルチメディア装置、携帯電話又は電子手帳は、時折、フォトフレームとして使用されることができる。
【背景技術】
【０００３】
本発明は、画像コレクション中の多くのデジタル画像は、画像コレクションのユーザがそれらの画像を覚えておらず、また画像への容易なアクセス経路を有しないために、使用されないままである傾向にあるという観察結果により得られたものである。そのような画像は、ある意味で、“迷子になった”ものである。画像が迷子になる虞は、画像コレクションのサイズとともに増大するが、コレクション中をナビゲートするために使用される画像ブラウザの効率や、人がアクセスする頻度や、画像に対して人が後に抱く親しみにも依存する。多くの画像ブラウザは所与の画像標識化又は分類を必要とする。分類されていない、あるいは正確に分類されていない画像は、コレクション中で迷子になる可能性が非常に高い。さらに、表示、プリント又は共有の何れかでの画像の使用確率は、その画像がキャプチャ（撮影／捕捉）されて画像取り扱い装置に格納された時にはかなり高いが、その後は時間に連れて有意に低下することが観察されている。古い画像は、例えば６０歳の誕生日の写真企画といった、閲覧する特別な理由が存在する時にのみ閲覧されることが多い。
【０００４】
大きい画像コレクションを取り扱うための数多くの手法が探索されてきた。それらの方法は典型的に、画像を閲覧するための手法、特定の画像を検索するための手法、及びどの画像が関心あるものであり得るかを予測することにより閲覧すべき画像の集まりを縮小するための手法をユーザに提供しようと試みるものである。
【０００５】
これらの取り組みの中で、非特許文献１は、２００１まで遡るタイル表示に基づくブラウザを提案している。画像を思い出させるための技術についての試みが、例えば誕生日などの特定のイベントに付随するリマインダとの関連で為されてきた。例えば、特許文献１を参照することができる。デジタル画像システムにおける予期の概念は、あまり注目を受けてこなかった。しかしながら、非特許文献２は、デジタル写真コレクション又は楽曲コレクションの何れかと相互作用するユーザの注目における逸脱挙動の例を報告している。また、非特許文献３は、例えば音楽再生などのランダムに選択されたデジタルコンテンツとの個人的に意義深い巡り会いに基づくセレンディピティの幾つかの例を説明している。
【先行技術文献】
【特許文献】
【０００６】
【特許文献１】米国特許出願公開第２００３／０００２３９０号明細書
【非特許文献】
【０００７】
【非特許文献１】Bederson，B．B．Photomesa、「A  Zoomable  Image  Browser  Using  Quantum  Treemaps  and  Bubblemaps」、ACM、2001年、1-58113-438
【非特許文献２】Bentley，F．、Metcalf，C．、Harobe，G．、「Personal  vs.  commercial  content：The  similarities  between  consumer  use  of  photos  and  music」、Proceeding  of  CHI’06、  ACM  Press、米国、2006年、667-676
【非特許文献３】Leong，T．W．、Howard，S．、Vetere，F．、「Choice：abdicating  or  exercising」、Proceeding  of  CHI’06、  ACM  Press、米国、2008年
【発明の概要】
【発明が解決しようとする課題】
【０００８】
“迷子の”デジタル画像の数を削減するため、また、デジタル画像の大きいコレクション内に埋もれた画像をユーザが処理することを可能にするため、本発明は、対話式（インタラクティブ）画像選択方法を提案する。
【課題を解決するための手段】
【０００９】
提案するインタラクティブ画像選択方法は、
ａ）デジタル画像のコレクションの中から、少なくとも１つの所謂リマインダデジタル画像を自動的且つランダムに選択するステップと、
ｂ）ランダムに選択されたリマインダ画像との類似度計算に基づいて、画像のコレクションの中から、少なくとも１つの所謂リンクデジタル画像群のサブセットを自動的に選択するステップと、
ｃ）表示画面上にリマインダ画像を一時的に表示し、リマインダ画像が表示されている間、第１のユーザインタフェースをインタラクション検出モードに設定するステップと、
ｄ）リマインダ画像が表示されている間の第１のユーザインタフェースを用いたユーザインタラクションに応答して、ステップｂ）にて決定されたリンク画像群のサブセットの画像群のうちの少なくとも一部を同時に表示し、第２のユーザインタフェースを、表示されたリンク画像群のサブセットの中からユーザが少なくとも１つの画像を選択することが可能な選択モードに設定するステップと、
ｅ）第２のユーザインタフェース上でのユーザ選択に応答して、選択された少なくとも１つのリンク画像の画像データを、画像処理に利用可能にするステップと、
ｆ）新たなランダム選択でステップａ）を反復するステップと、
を有する。
【００１０】
この方法は、表示機能を有する数多くのマルチメディア装置上で実行されることが可能であるが、より有利には、例えばパーソナルコンピュータなどの大型画面を有する固定式装置、又はデジタルフォトフレーム上で実行され得る。
【００１１】
単純化のため、前後関係が明確である限り、用語“デジタル画像”は、表示あるいはプリントされようとする画像の意味内容を称するため、及びメモリに格納された対応するデジタルデータ又はメタデータを称するために区別なく使用される。しかしながら、理解されるように、この用語は、画像処理ステップに関する場合にはデータを意味し、ユーザとのインタラクションに関する場合には可視的な表示又はプリントを意味する。画像コレクションは、ユーザがアクセスすることができる遠隔、内蔵あるいは取り外し可能なメモリに格納された画像群の全て又は一部であり得る。このコレクションは更新に対して閉ざされていてもよいし、開かれていてもよい。
【００１２】
ステップａ）にて参照される選択は、完全にランダムな選択と考え得る準ランダムな選択とを包含し得る非予測的な選択に相当する。ユーザには依然として予測不可能であるが、選択が画像コレクションの所定の部分に関するとき、又は選択が指向或いは重み付けされるとき、この選択は準ランダムであると見なされる。
【００１３】
この選択は、ユーザ選択が関与しない、あるいは必要とされないという意味で自動的であり、選択は、ユーザから見て予測不可能であり、機械によって為される。また、ユーザはこの選択に対する制御を有しない。
【００１４】
所謂“リマインダ画像”のランダム選択により、この処理は、ユーザが忘れてしまった画像や、更にはユーザに知られていない画像までもが選択されることが可能になる。通常の閲覧処理において、このような画像は標的にされることがないものである。他の１つの利点は、画像コレクション内に存在するであろう既存の画像カテゴリー又は画像順序から解放されて、ランダム選択が行われ得ることである。
【００１５】
１つ又は複数のリマインダ画像が表示画面上に一時的に表示され得る。様々な表示プレゼンテーション及び表示期間が選択され得る。一例として、リマインダ画像は、当該画像が表示されている間に時間に連れて変化する表示サイズを有していてもよい。
【００１６】
リマインダ画像の表示期間は、予め設定されていてもよいし、所与の期間範囲内でランダムに選択されてもよい。しかしながら、有利には、表示は周期的な表示とし得る。その場合、ランダムに選択された画像群の各々が、例えば１分、１時間、１日などの所与の期間にわたって表示され、その表示は一日のうちの所与の時間にスケジュールされ得る。一例として、ランダムに選択された画像の表示は朝食時間にスケジュールされた１時間表示とし得る。
【００１７】
ランダムに選択されたリマインダ画像の表示はまた、デジタルフォトフレームの基本機能モードとして設定されることができる。
【００１８】
リマインダ画像の表示の間、第１のインタフェースはインタラクション監視モードに設定される。換言すれば、このインタフェースは、ユーザの如何なる低レベルインタアクションをも待ち受け、それを検出する。このモードにおいて、ユーザはデータを入力すること又は選択を行うことを要求されず、単に、インタラクトすること、すなわち、例えば画面、フレームを触れたり、コンピュータのマウスを動かしたりすること等を誘われる。このインタラクションは、そのインタラクション時間に表示されているランダム選択画像に対する、可能性あるユーザの関心として解釈される。第１のインタフェースは、例えばボタンなどの非常に単純なインタフェースとすることができる。第１のインタフェースはまた、コンピュータマウス、又は単に触れられるのを待つだけのタッチスクリーンとすることもできる。第１のインタフェースはまた、リマインダ画像が表示されている表示画面の正面にユーザが幾分長めに存在していることを検出するカメラであってもよい。後者のものは、壁に取り付けられるフォトフレームの場合に当てはまり得る。
【００１９】
本発明の１つの重要なステップはステップｂ）である。このステップは、ユーザが第１のインタフェースを用いてインタラクトして何らかの関心を示したときに、どのような選集がユーザに提供されなければならないかを決定する。
【００２０】
順序付けられた画像コレクションに対して特に好適な本発明の基本的な一実施形態において、選択ステップｂ）は、リマインダ画像のランクによって指示されて、順序付けられた画像内で決定された範囲を、その順序で選択することとし得る。一例として、コレクションの画像群がキャプチャタイムスタンプを有することで、キャプチャ時間に関して先天的な順序を有する場合、いわゆる類似度計算は、コレクションのうち、ランダム選択されたリマインダ画像のキャプチャ時間に対して定められた所与の時間範囲内にキャプチャされた画像群を決定することの範囲内に収めることができる。
【００２１】
画像コレクションを事後的な順序に順序付けることも類似度計算の一部とすることができる。
【００２２】
順序付けられる画像コレクションはまた、それ以前に画像群が画像カテゴリーに関連付けられているコレクションであってもよい。その場合、類似性は、リンク画像がリマインダ画像と同一の画像カテゴリーに属するという事実から生じ得る。
【００２３】
上記リンク画像群のサブセットを準備するために、予め存在する順序、又はカテゴリー、画像ラベル若しくは画像メタデータを利用することは、しかしながら、コレクションの各画像に等しい選択確率を与えない。以前に並べ替えあるいは分類されていない画像、又は誤って分類されている画像は、それ自体がリマインダ画像として選ばれない限り、“迷子の”画像になりやすいままである。
【００２４】
本発明の一改善例において、ステップｂ）は故に、
−  ランダムに選択されたリマインダ画像に関して少なくとも１つの種類の画像特徴を決定し、画像のコレクションのうちのその他の所謂“被検画像群”に関して同一種類の画像特徴を決定するサブステップと、
−  被検画像群の画像特徴をリマインダ画像の画像特徴と比較するサブステップと、
−  被検画像群の中から、リマインダ画像に近い画像特徴を有する画像サブセットを選択するサブステップと、
を有する。
【００２５】
画像コレクションに含まれる画像群のうちの全て又は一部のみが被検画像として用いられ得る。“リンク画像群”のサブセットに採用される被検画像の数は、固定あるいは可変の比較閾値によって設定され得る。特に、この閾値は、後続ステップｄ）にてリンク画像群を表示するために使用される画面の表示能力に対して可変なものとすることができる。
【００２６】
上述の画像特徴は、画像のキャプチャ時間／日付、画像の意味内容、画像に付随する所定のメタデータのうちの少なくとも１つ、又はデジタル画像データそれ自体の全て若しくは一部とし得る。一例として、該特徴が画像データそれ自体である場合、類似度計算は、選択されたリマインダ画像のデータとの各被検画像データの相互相関計算によって実行され得る。そして、各相互相関の結果が閾値と比較され、対応する被検画像が選択される“リンク画像群”のサブセットの一部にされるべきかが決定され得る。
【００２７】
更なる一例として、該特徴の種類は、画像内に存在する人の顔としてもよい。その場合、リマインダ画像及び被検画像は顔検出アルゴリズムによって分析される。リマインダ画像の特徴として所与の顔が特定された場合、この顔は、顔認識アルゴリズムを用いて、その他の被検画像群内で特定される顔と比較され得る。そして、同一の顔が特定された画像群の全て又は一部として、リンク画像群のサブセットを選定することができる。
【００２８】
類似度計算に基づいて自動的に選択された後、リンク画像群のサブセットの全て又は少なくとも一部が、表示画面上に同時に表示される。これらの画像は、例えば、格子状の画像群又はサムネイル画像群の形態で表示される。
【００２９】
そして、第２のユーザインタフェースが、表示されたリンク画像群の中からユーザが１つ以上の画像を選択することを可能にする選択モードに設定される。第１及び第２のユーザインタフェースは、処理中に異なる複数のモードに設定される単一のインタフェースとし得る。他の一実施形態において、第１及び第２のインタフェースは、相異なる装置のインタフェースとしてもよい。
【００３０】
第１のユーザインタラクションの時点で複数のリマインダ画像が同時に表示されていた場合、そのインタラクション時点で存在していた一部又は全てのリマインダ画像に対してリンク画像群を決定することができる。また、ユーザの第１のインタラクションの時点で、あるいは該第１のインタラクションの後且つリンク画像群内での選択の前に、同時存在の少数のリマインダ画像の間で第１の選択を行う選択肢がユーザに提供されてもよい。
【００３１】
リンク画像群の間での選択モードはもはや、単なるインタラクション検出ではない。第２のユーザインタフェースは、第１のユーザインタフェースとは異なるインタフェースとしてもよいし、単なるインタラクション検出モードではなく選択モードで使用されることを除いて、第１のユーザインタフェースと同一のインタフェースとしてもよい。
【００３２】
第２のインタフェースは、コンピュータマウス、キーボード、又は好ましくは、表示されるリンク画像群の各々の位置に対応して検知領域を有するタッチスクリーンを有し得る。
【００３３】
このモードにおいて、表示されたリンク画像は、画像ひいては処理されるべき画像データを選択するための選択アイコンとして用いられる。
【００３４】
画像データが処理に利用可能にされる後続のステップは、当該選択方法を実行している装置内で直接的に、選択データの使用又は処理を行うことを含み得る。データを利用可能にすることはまた、遠隔処理装置に画像データを送信することを含んでもよい。処理という用語はここでは広く理解される。処理はとりわけ、例えば画像プリント、画像共有、画像修正、画像記憶、通信ネットワークを介した遠隔電子アドレスへの画像伝送などの処理を含み得る。
【００３５】
この作業が実行された後、このプロセスは、１つ以上のその他のリマインダ画像の新たなランダム選択を用いて反復され得る。この反復は、ユーザの制御入力を受けた時点で発生し得る。この反復はまた、ユーザの如何なる入力又はインタラクションもなく所与の時間が経過した時、又はリマインダ画像の一時的な表示の時間が終了した時に自動的にトリガーされてもよい。
【００３６】
本発明はまた、上述の方法を実行するのに好適なソフトウェア命令を実行する処理ユニットを含むデジタルフォトフレームを提案する。このデジタルフォトフレームは、画像コレクションの全て又は一部を格納したメモリへのローカルアクセス又は遠隔アクセスを有する。
【００３７】
本発明のその他の特徴及び利点が、添付の図面を参照する以下の説明中に現れる。以下の説明は、非限定的な例示として与えられるものである。
【図面の簡単な説明】
【００３８】
【図１】本発明に対応する画像選択・処理方法を例示するフローチャートである。
【図２】本発明に従ったデジタルフォトフレームの簡略化した模式図である。
【発明を実施するための形態】
【００３９】
図１のフローチャートは、画像データファイルとして模式的に表したデジタル画像のコレクション１０２から、ユーザに予測できないように、リマインダ画像が選択される第１のステップ１００を示している。
【００４０】
必要に応じての準備ステップ９０は、自動的あるいはユーザ入力に基づいて実行され得るものであり、コレクション１０２中の画像群の分類及び順序付けを行うことを有する。具体的には、画像データはキャプチャ日時を指し示すメタデータを有することができ、画像群は年代順に順序付けられることが可能である。また、画像群は、ユーザによって選択された画像カテゴリー１０２ａ、１０２ｂ、１０２ｃ、１０２ｄに分類されて並べられてもよい。このようなカテゴリーは、例えば、“休暇”、“誕生日”、“新年”などのキャプチャ状況に対応する。
【００４１】
リマインダ画像の選択ステップ１００に話を戻すに、幾つかの選択肢を取ることができる。選択はコレクション１０２全体からランダムに行われることができる。選択はまた、異なる画像カテゴリー１０２ａ、１０２ｂ、１０２ｃ、１０２ｄの間で画像の選択を重み付け且つ各所与のカテゴリー内でランダムにすることで、ユーザには選択が予測できないものに見えるようにして、準ランダムに行われることも可能である。選択は、画像コレクションの相異なる部分群から選択された複数の画像リマインダを用いて、やはり準ランダムになることができる。
【００４２】
選択ステップに続いて、ランダムに選択されたリマインダ画像の表示１０４が行われるとともに、第１のインタフェースがユーザインタラクション検出モード１０７に設定される。
【００４３】
図１の例において、幾つかのリマインダ画像１０８が可変サイズで同時に表示されている。各リマインダ画像の表示サイズは、リマインダが表示スクリーン上に現れた時点からそれが消滅する時点までの時間の関数として変化する。リマインダ画像のその他の提示法を選択する機会がユーザに与えられてもよい。また、新たなリマインダ画像ごとにシステムが異なる提示法を選択してもよい。
【００４４】
幾つかのリマインダ画像が同時に表示されるとき、第１のインタフェースはまた、ユーザが何らかの相互作用（インタラクション）によって自身の関心を示すだけでなく、表示された数個のリマインダ画像の間での第１の基礎選択を行うことを可能にするモードに設定されてもよい。しかしながら、主たる機能は依然として、可能な限り容易なものであることが好ましいインタラクションによるユーザの関心を検出することである。
【００４５】
如何なるインタラクションも検出されない限り、リマインダ画像の表示が進められる。これは矢印１１２によって図示されている。リマインダ画像の所定の表示時間が経過した場合、その画像の表示は、ランダムに選択された次のリマインダ画像の表示で置き換えられる。
【００４６】
図１には、ユーザインタラクションが参照符号１１０で示されている。このインタラクションが検出された場合、結び付けられた画像群（リンク画像群）を決定する次のステップ１２０がトリガーされる。リンク画像群の表示１２４もトリガーされ、第２のインタフェースが選択モード１５０に設定される。選択モードにおいて、ユーザは、表示されたリンク画像群の中のうちの１つ以上を選択することができる。当然ながら、ユーザが最初のインタラクションによって関心を示したリマインダ画像それ自体も、その後にユーザ選択１４２のために表示提供されるリンク画像群のサブセットに含まれ得る。
【００４７】
リンク画像群のサブセットを決定するステップ１２０は、ユーザインタラクション１１０の検出前に実行あるいは開始されることができる。リマインダ画像が自動選択されると直ちに、類似度計算が開始され得る。換言すれば、リンク画像群のサブセットは、第１のインタラクションの検出前に、表示はされないが、準備ができた状態にされることができる。類似度計算が多大な計算時間及び計算リソースを要する場合、リンク画像群のサブセットの初期段階での準備は好ましいものである。
【００４８】
類似度計算は更には、少なくとも部分的に、リマインダ画像の選択前に開始されてもよい。これは、類似度計算が準備のための分類・順序付けステップ９０に基づくケースである。その場合、順序付けステップ９０は、その他の目的にも有用となり得るが、類似度計算の部分と見なすこともできる。
【００４９】
図１の例において、リマインダ画像の各々に対して、計算ステップ１２７にて１つ又は幾つかの画像特徴１２８が決定され、同一あるいは近い画像特徴１２８ａを有するリンク画像群のサブセット１３０が選択される。各リマインダ画像に対してリンク画像群の複数のサブセット１３０、１３０ａが決定されてもよい。リンク画像群の異なる複数の組が、異なる複数の種類の画像特徴に基づいて選択されてもよい。
【００５０】
リンク画像群を選択するための基準は、予め定められてもよいし、表示に使用される画面の表示能力に従った数のリンク画像を各サブセット１３０、１３０ａについて選択するように可変にされてもよい。
【００５１】
単純な一例が、類似度計算に採用される画像特徴がキャプチャ時期である場合に与えられ得る。リマインダ画像のキャプチャ時期付近の第１の時期範囲が、リンク画像群の選択基準として採用され得る。この時期範囲が、十分な解像度で同時表示可能な画像数より遙かに多い数のリンク画像群を含むことになる場合、時間範囲は狭められることができる。狭められた時期範囲は、より限定的な基準を構成する。より短い時期範囲は、より少ないリンク画像が選択される結果となり、より長い時期範囲は、より多いリンク画像が選択される結果となる。同様に、計算される画像特徴がスケーラブルな値又は計量値であるとき、基準は調整されることが可能である。
【００５２】
図１に示すように、１つ以上のリマインダ画像に対応するリンク画像群は、サムネイル画像群１３２として表示されることができる。
【００５３】
参照符号１４０は、表示されるリンク画像群のサブセットをユーザが取り換えることを可能にし得る必要に応じての選択を指し示している。表示されるリンク画像群の取換えは、例えば取換えボタンの押下げ又はマウスクリックなどの入力１４２によってトリガーされることができる。その場合、利用可能であるならば、別のサブセットのリンク画像群が表示される。この代替サブセットのリンク画像群は、同一リマインダ画像の別の画像特徴に基づいて選択され得る。リンク画像群の代替サブセットはまた、第１のユーザインタラクションの時点で表示されていた別のリマインダ画像に対応するものであってもよい。
【００５４】
図１からの一例を用いるに、ユーザ入力１４２は、リンク画像群の第１のサブセット１３０からリンク画像群の第２のサブセット１３０ａに取り換えるために用いられ得る。表示画面が同時表示可能な数より多いリンク画像を有する画像サブセットをスクロールするために、同様の取換え入力が用いられてもよい。これは、選択されるリンク画像の数を画面の表示能力に制限することを不要にする。
【００５５】
矢印１４４は、取換えを行って他のサブセットのリンク画像群の表示１２４に戻るとき、別あるいは更なる画像サブセットの選択を表している。
【００５６】
１つ又は複数の表示されたリンク画像のその後の選択は、上述のように選択モード１５０に設定されている第２のインタフェース上で行われるユーザ入力１５２を意味する。このインタフェースがタッチスクリーンである場合、表示されたリンク画像は直接に、触れることによってトリガーされる選択アイコンとして用いられることができる。
【００５７】
必要に応じて、ステップ１５２にてユーザによって選択されたリンク画像は、画像コレクションを更に閲覧するための開始ポイントとして使用され得る。より精緻な選択のためのこのオプションは、点線１５４にて指し示されている。ステップ１５０にて、あるいは場合によりステップ１５４にて選択された画像の画像データは、更なるローカル処理のために使用され、あるいは遠隔処理装置に送信され得る。
【００５８】
選択された画像データを処理すべき手法は、予め決定されたものとし得る。しかしながら、該処理に、ユーザ入力１６２を受けて処理又は処理装置の種類が選択され得る更なる選択オプション１６０を追加することも可能である。この選択オプション１６０は、該処理の前に行われてもよい。例えば、それは第１のインタフェースを用いたユーザの第１のインタラクション１１０に続いて行われ得る。
【００５９】
ブロック１７０は、先に選択された画像のデジタルデータが処理のために利用可能にされるステップを表している。このステップは更に、画像のローカル利用、又は選択された画像データを遠隔の装置又は処理設備に送信することを含み得る。データは、例えば、通信ネットワークを介して送られることができ、あるいは、所謂ピア・ツー・ピア交換にて直接的に伝送されることができる。ローカル利用の一例として、処理がフォトフレーム上で実行される場合、画像データ処理は、選択画像を拡大することと、それを所与の期間フレーム上で表示することとにし得る。データはまた、遠隔プリンタに送信されてもよい。モニタ画面を備えたプリンタ上で直接的に処理が実行される場合、処理は選択画像のハードコピーの自動プリントを含み得る。
【００６０】
データの送信又は処理が行われた後、この方法は、矢印１７４によって図示されるように、ステップ１００の反復で再開する。この反復は、所定の待機時間の後に自動的にトリガーされてもよいし、ユーザリセット入力１７２を受けたときにトリガーされてもよい。
【００６１】
同じことが、所定の待機時間が経過しても第２のインタフェース上でユーザ入力１５２が為されない場合にも行われる。これは矢印１５６で指し示されている。
【００６２】
図２は、上述の方法とともに使用される可能性があるデジタルフォトフレーム２００を示している。
【００６３】
このフォトフレームは、表示画面としてだけでなく上記第１及び第２のユーザインタフェースとしても用いられるタッチスクリーン２１０を有している。
【００６４】
タッチスクリーンに加えて、このフォトフレームは、リマインダ画像表示からリンク画像表示に進めるための上記第１のユーザインタフェースとして使用可能なボタン２１２を有していてもよい。別のタッチパッド２１４は、２次元格子として配列され得る表示リンク画像群をナビゲートするために用いられ得る。
【００６５】
図２の例示においては、画面上に、或る特定の数のリマインダ画像１０８が異なる大きさ及び位置で表示されている。その表示の背景には、以前に表示されたリンク画像群の組に対応する複数のサムネイル画像１０９が低いコントラストで示されている。
【００６６】
このフォトフレームはまた、上述の方法を実行するためにソフトウェア命令を実行することが可能な処理ユニット２１６（鎖線で示す）を含み得る。処理ユニット２１６は、インタフェース２１２、２１４と、タッチスクリーン２１０と、画像データ及びメタデータを格納するメモリ２１８とに接続される。
【００６７】
これまた鎖線で示した参照符号２２０は、記号形式でアンテナを表している。アンテナ２２０は、このフォトフレームが、例えばプリンタ、携帯電話、コンピュータ又は家庭用ＴＶなどの処理装置と、遠隔且つ無線で通信可能であることを指し示す。なお、これらの処理装置自体もこのフォトフレームと遠隔通信可能なものである。選択された画像のデータがＴＶに送られる場合、画像データの処理は、そのデータをＴＶフォーマットに適応させて画像を表示することを有する。
【図１】
2011522306.tif 000003
【図２】
2011522306.tif 000004
【国際調査報告】
2011522306.tif 000005
2011522306.tif 000006
2011522306.tif 000007